(57)【特許請求の範囲】
【請求項１】
地震の被災状況を建物内に表示する地震表示計であって、
建物内に設けられたケースと、このケース内に設けられた表示部と、
前記ケース内に設けられ、地震が発生した際に、地震によって変形する建物の変形量を算出する変形量算出部によって算出された建物の変形量に基づいて、前記建物の変形量と前記建物の被災度ランクとを対応付けて記憶しているデータ記憶部から前記変形量に対応付けられている被災度ランクを呼び出して前記表示部に表示する制御部と、
前記ケースに取り付けられて、被災度ランクに対応付けられた建物の被災内容が記載された被災度判定表とを備えたことを特徴とする地震表示計。
【請求項２】
請求項１に記載の地震表示計において、
前記変形量算出部は、建物情報と地震計の加速度センサによって計側された地震の加速度に基づいて前記建物に地震によって水平に力が作用した際に生じる層間変位角を算出し、
前記制御部は、地震が発生した際に、前記変形量算出部によって算出された建物の層間変位角に基づいて、前記建物の層間変位角と前記建物の被災度ランクとを対応付けて記憶しているデータ記憶部から前記層間変位角に対応付けられている被災度ランクを呼び出して前記表示部に表示することを特徴とする地震表示計。
【請求項３】
請求項１または２に記載の地震表示計において、
前記表示部は、地震計の加速度センサによって検出された加速度、この加速度の方向、震度を表示可能であることを特徴とする地震表示計。
【請求項４】
請求項３に記載の地震表示計において、
前記表示部は、前記加速度センサによって検出された加速度をその方向ごとに表示可能であることを特徴とする地震表示計。
【請求項５】
請求項４に記載の地震表示計において、
前記ケースの外面に、前記表示部に表示された加速度の方向に対応する方向を表示する方向表示部が設けられていることを特徴とする地震表示計。
【発明の詳細な説明】
【技術分野】
【０００１】
本発明は、地震表示計に関する。
【背景技術】
【０００２】
地震計を有する建物の管理システムの一例として特許文献１に記載のものが知られている。この建物の管理システムは、建物の外部に設けられて、地震計の情報が提供される地震管理装置を備え、この地震管理装置は、前記地震計によって計測された加速度を含む地震情報を記憶する地震情報記憶部と、前記建物の構成部材および構造に係る建物情報を記憶している建物情報記憶部と、前記建物情報と前記加速度から前記建物の変位角を計算する構造計算手段と、地震の際の前記建物の構成部材の被害情報を、予め地震の際の前記建物の変位角ごとに対応付けて記憶している建物被害情報記憶部と、前記構造計算手段で計算された変位角と、前記建物被害情報記憶部に記憶されている変位角とに基づいて、前記建物被害情報記憶部に記憶されている前記建物の構成部材の被害情報を抽出する被害情報抽出手段とを備え、前記被害情報抽出手段によって抽出された前記建物の構成部材の被害情報が提供されることを特徴としている。
【０００３】
このような建物の管理装置によれば、地震計による地震の際の加速度を含む地震情報が地震管理装置に提供されて、地震情報記憶部に記憶される。そして、構造計算手段によって、建物情報記憶部に記憶されている建物情報と前記加速度とから建物の変位角が計算される。次に、この計算された変位角と、前記建物被害情報記憶部に記憶されている変位角に基づいて、建物被害情報記憶部に記憶されている建物の構成部材の被害情報を被害情報抽出手段が抽出される。
そして、抽出された前記建物の構成部材の被害情報が提供されるので、利用者は地震後の建物の被害情報を知ることができ、この結果、地震後の建物の管理を効果的に行うことができる。
【先行技術文献】
【特許文献】
【０００４】
【特許文献１】特開２０１２−３７４３６号公報
【発明の概要】
【発明が解決しようとする課題】
【０００５】
ところで、上記従来の技術では、地震管理装置が建物の外部に設けられているので、地震等の際に、地震管理装置と建物との間の通信ネットワークに不具合が生じると、被害情報を知ることができない場合がある。
一方、建物の住民等の持ち主は、地震が発生した場合の建物の被災内容（被害情報）を速やかに知りたいという要望がある。その場合、被災内容をモニタ等の画面に細かに表示するとかえって、被災内容を速やかに把握することができないという問題がある。
【０００６】
本発明は上記事情に鑑みてなされたもので、通信ネットワークに頼ることなく、地震が発生した場合の建物の被災内容を速やかに把握できる地震表示計を提供することを課題としている。
【課題を解決するための手段】
【０００７】
上記課題を解決するために、請求項１に記載の発明は、例えば図１、図７等に示すように、地震の被災状況を建物内に表示する地震表示計３であって、
建物内に設けられたケース３ｆと、このケース３ｆ内に設けられた表示部３ｅと、
前記ケース３ｆ内に設けられ、地震が発生した際に、地震によって変形する建物１の変形量を算出する変形量算出部２ｃによって算出された建物１の変形量に基づいて、前記建物１の変形量と前記建物１の被災度ランクとを対応付けて記憶しているデータ記憶部３ｃから前記変形量に対応付けられている被災度ランクを呼び出して前記表示部３ｅに表示する制御部３ａと、
前記ケース３ｆに取り付けられて、被災度ランクに対応付けられた建物１の被災内容が記載された被災度判定表３５とを備えたことを特徴とする。
【０００８】
請求項１に記載の発明によれば、地震が発生した際に、変形量算出部２ｃによって算出された建物１の変形量に基づいて、制御部３ａがデータ記憶部３ｃから前記変形量に対応付けられている被災度ランクを呼び出して表示部３ｅに表示するので、ユーザーはこの被災度ランクを確認することによって、建物１の被災内容を速やかに把握できるとともに、被災度判定表３５を確認することによって、被災度ランクに対応付けられた建物１の被災内容を通信ネットワークに頼ることなく、速やかかつ詳細に把握できる。
【０００９】
請求項２に記載の発明は、請求項１に記載の地震表示計３において、
前記変形量算出部２ｃは、建物情報と地震計２の加速度センサ２ａによって計側された地震の加速度に基づいて前記建物１に地震によって水平に力が作用した際に生じる層間変位角を算出し、
前記制御部３ａは、地震が発生した際に、前記変形量算出部２ｃによって算出された建物１の層間変位角に基づいて、前記建物１の層間変位角と前記建物１の被災度ランクとを対応付けて記憶しているデータ記憶部３ｃから前記層間変位角に対応付けられている被災度ランクを呼び出して前記表示部３ｅに表示することを特徴とする。
【００１０】
請求項２に記載の発明によれば、変形量算出部２ｃは、建物１に地震によって水平に力が作用した際に生じる層間変位角を算出し、この層間変位角に応じた建物１の被災度ランクを対応付けてデータ記憶部３ｃに記憶させているので、地震の際の建物１の被災度ランクをより適切なものとすることができる。
【００１１】
請求項３に記載の発明は、請求項１または２に記載の地震表示計３において、
前記表示部３ｅは、地震計２の加速度センサ２ａによって検出された加速度、この加速度の方向、震度を表示可能であることを特徴とする。
【００１２】
請求項３に記載の発明によれば、表示部３ｅが、加速度センサ２ａによって検出された加速度、この加速度の方向、震度を表示することによって、ユーザーは被災度ランクに加えて、地震の際の加速度、その方向、さらに震度を確認できる。
【００１３】
請求項４に記載の発明は、請求項３に記載の地震表示計３において、
前記表示部３ｅは、前記加速度センサ２ａによって検出された加速度をその方向ごとに表示可能であることを特徴とする。
【００１４】
請求項４に記載の発明によれば、地震時またはその後に、表示部３ｅが加速度センサ２ａによって検出された加速度をその方向ごとに表示することによって、ユーザーは建物１がどの方向にどの程度揺れたか、つまり建物にどの方向にどの程度の加速度が作用したかを容易に知ることができる。
【００１５】
請求項５に記載の発明は、請求項４に記載の地震表示計において、
前記ケース３ｆの外面に、前記表示部３ｅに表示された加速度の方向に対応する方向を表示する方向表示部３３が設けられていることを特徴とする。
【００１６】
請求項５に記載の発明によれば、地震時またはその後に、表示部３ｅに加速度の方向が表示されるが、ユーザーはこの表示と方向表示部３３に表示されている方向を確認することによって建物１がどの方向に揺れたか、つまり建物にどの方向に加速度が作用したかを容易に知ることができる。
【発明の効果】
【００１７】
本発明によれば、地震が発生した際に、変形量算出部によって算出された建物の変形量に基づいて、制御部がデータ記憶部から前記変形量に対応付けられている被災度ランクを呼び出して表示部に表示するので、ユーザーはこの被災度ランクを確認することによって、建物の被災内容を速やかに把握できるとともに、被災度判定表を確認することによって、被災度ランクに対応付けられた建物の被災内容を通信ネットワークに頼ることなく、速やかかつ詳細に把握できる。
【図面の簡単な説明】
【００１８】
【図１】本発明に係る地震表示計と地震計のブロック図である。
【図２】本発明に係る地震表示計の取付構造の一例を示すもので、その側断面図である。
【図３】同、別の取付構造を示す側断面図である。
【図４】同、斜視図である。
【図５】同、平面図である。
【図６】本発明に係る地震表示計の表示部の表示画面を示す図である。
【図７】本発明に係る地震表示計の一例を示す斜視図である。
【図８】本発明に係る地震表示計の他の例を示す斜視図である。
【図９】本発明に係る地震表示計に取り付けられる被災度判定表を示す図である。
【発明を実施するための形態】
【００１９】
以下、図面を参照して本発明に係る地震表示計の実施の形態について説明する。
図１は、住宅等の建物１に設けられる地震情報表示システムの一例を示すブロック図であり、この地震情報表示システムは、地震計２と地震表示計３を備えている。
【００２０】
地震計２は、地震の揺れによって生じる加速度を検出する加速度センサ２ａと、震度算出部２ｂと、変形量算出部２ｃと、制御部２ｄと、これらを収容するケース５とを備えている。
加速度センサ２ａは、地震の発生により後述する建物の布基礎６が横揺れしたときに、水平方向の加速度が加わると、その加速度に比例した電圧レベルで地震検出信号を出力するようになっている。例えば、建物１の平面視において直角に配置された一の外壁と他の外壁のうちの一の外壁と平行な方向をＸ方向とし、他の外壁と平行な方向がＹ方向とすると、建物に作用した加速度をＸ方向とＹ方向に分離し、この分離したＸ方向とＹ方向における加速度にそれぞれ比例した電圧レベルで地震検出信号を出力するようになっている。
また、加速度センサ２ａは、地震の発生により建物の布基礎６が縦揺れしたときに鉛直方向の加速度が加わると、その加速度に比例した電圧レベルで地震検出信号を出力するようになっている。例えば、鉛直方向をＺ方向すると、建物に作用したＺ方向における加速度に比例した電圧レベルで地震検出信号を出力するようになっている。このような加速度センサ２ａはケース５に収容されている。
【００２１】
震度算出部２ｂは、ＣＰＵ（中央演算処理装置）、メモリまたはハードディスク装置等に記憶されている震度算出プログラム等によって構成されており、地震計２の加速度センサ２ａからの地震検出信号が制御部２ｄを介して入力され、この地震検出信号に基づいて震度を算出するようになっている。
また、震度算出部２ｂは、加速度センサ２ａからの地震検出信号に基づいて、Ｘ方向、Ｙ方向、Ｚ方向におけるそれぞれの最大加速度を算出するようになっている。Ｘ方向とＹ方向は水平面内で直交する方向であり、例えば、図４に示すように、建物１の平面視において直角に配置された一の外壁１ａと平行な方向をＸ方向、一の外壁１ａと直角に配置された他の外壁１ｂと平行な方向をＹ方向とする。また、Ｚ方向は鉛直方向とする。
さらに、震度算出部２ｂは時計機能を有しており、加速度センサ２ａからの地震検出信号が入力されたとき、つまり地震が生じたときの時刻、日付を取得できるようになっている。
【００２２】
変形量算出部２ｃは、後述するデータ記憶部３ｃに記憶されている建物情報と加速度センサ２ａによって計測された加速度から前記建物１の変位角を計算するものである。建物の変位角は、建物１に地震によって水平に力が作用した際に生じる層間変位角（tanθ）で示される。
制御部２ｄは、震度算出部２ｂ、変形量算出部２ｃのそれぞれの制御を行うもので、主にＣＰＵ（中央演算処理装置）によって構成されている。
【００２３】
地震計２のケース５は、図２に示すように、矩形箱状に形成されており、その底面に平坦な取付面５ａが形成されている。そして、この取付面５ａが布基礎６の立上り部６ａの側面の上端部に当接されている。
また、ケース５の底板部にはフランジ部５ｂ，５ｂが形成されており、このフランジ部５ｂ，５ｂに形成された貫通孔に、コンクリートビス等の取付具７，７が挿通され、前記立上り部６ａにねじ込まれている。
また、ケース５のフランジ部５ｂ，５ｂの表面とその近傍の立上り部６ａの表面には、フランジ部５ｂ，５ｂの表面を覆うようにしてモルタル等の固着剤８が塗布されている。
このように、地震計２のケース５は、取付具７，７および固着剤８によって立上り部６ａに一体的に固定されている。
このようにして、地震計２は布基礎６の立上り部６ａの側面の上端部に取り付けられている。
【００２４】
なお、地震計２は布基礎６の立上り部６ａの側面に直接取り付けるものに限らず、例えば図３に示すように、布基礎６の立上り部６ａの側面の上端部に取付金具９を介して取り付けてもよい。取付金具９は断面Ｌ型のアングル材９ａを補強板９ｂによって補強してなるものであり、アングル材９ａがコンクリートビス等によって布基礎６の立上り部６ａのの上端部に固定されている。そして、アングル材９ａの上面に前記ケース５の取付面５ａがねじ止め等の手段によって取付け固定されている。
【００２５】
地震計２は、上記のようにして布基礎６の立上り部６ａの側面の上端部に取り付けられているが、本実施の形態では、布基礎６のうち、外周の布基礎６には取り付けられず、平面視において建物１の内側に位置する布基礎６に取り付けられている。
すなわち、図４に示すように、建物１の平面視において直角に配置された一の外壁１ａと他の外壁１ｂのうちの一の外壁１ａと直角に配置され、かつ平面視において建物１の内側に位置して、当該建物１の内側の壁１ｃが設置される布基礎６の立上り部６ａに、前記地震計２が取り付けられている。つまり、外周の布基礎６と直角に交わって配置された内側の布基礎６の立上り部６ａに地震計２が取り付けられている。
【００２６】
さらに、前記地震計２は、平面視において建物１の中央部に位置する布基礎６の立上り部６ａに取り付けられている。
すなわち、例えば図５（ａ），（ｂ）に示すように、平面視において、正方形リング状または角部に凹所を有する略正方形リング状に設けられ、建物１の外周部の外壁が設置された外周の布基礎６の中央部に内側の布基礎６が設けられている場合、外周の布基礎６の一辺を４等分するとともに、この一辺に直角に交わる他辺を４等分すると、中央部に位置する一辺の２分の１の長さの部分と、中央部に位置する他辺の２分の１の長さの部分とが交差する、中央部分（斜線で示す部分）６ｃの領域に位置する立上り部６ａの所望の位置に地震計２が取り付けられている。
最も望ましくは、平面視における布基礎６の重心位置またはこの重心位置の近傍に位置する布基礎６の立上り部６ａに、地震計２が取り付けられている。
【００２７】
このような位置に地震計２を取り付けることによって、当該地震計２を外側の風雨から保護できるとともに、地震の際の布基礎６の各部位の平均的な揺れを、地震計２によって計測することができる。
なお、本実施の形態では、平面視において建物１の内側に位置する布基礎６の側面に地震計２を取り付けたが、これに代えて、外周側に位置する布基礎６の側面に地震計２を取り付けてもよい。この場合、地震計２を風雨等から保護するために、当該布基礎６の両側面にうち、建物１の内側を向く側面に地震計２を取り付けるのが望ましい。
【００２８】
前記地震表示計３は、地震計２の加速度センサ２ａによって検出された加速度とその方向およびこの加速度に基づいて算出された震度、被災度ランク、損傷度予測、地震の発生日時、時刻、履歴等の地震情報を表示するものであり、例えば図４に示すように、建物の内壁１ｃに取り付けられている。
地震計２の加速度センサ２ａには、図２〜図４に示すように、接続線１０の一端部が接続されており、この接続線１０の他端部は地震表示計３に接続されている。接続線１０は地震計２から上方に延び、建物の床１１を構成する床パネルを上下に貫通し、さらに、建物の内壁１ｃを構成する壁パネルの下端部から壁パネル内に挿入され、さらに、上方に引き延ばされて、壁パネルの表面に取り付けられた地震表示計３に接続されている。
なお、図示は省略するが、電源コードは地震計２から上方に延び、建物の床１１を構成する床パネルを上下に貫通し、さらに、建物の内壁１ｃを構成する壁パネルの下端部から壁パネル内に挿入され、さらに、上方に引き延ばされて、壁パネルの内部に設けられたコンセントに接続されている
【００２９】
前記地震表示計３は、図１に示すように、制御部３ａ、データ記憶部３ｃ、表示部３ｅを備えており、データ記憶部３ｃ、表示部３ｅはそれぞれ制御部３ａに接続されている。このような地震表示計３は、ＣＰＵ（中央演算処理装置）、ＲＯＭ、ＲＡＭ等のメモリや必要に応じてハードディスク装置等の記憶部を備えており、これらは矩形箱状のケース３ｆに内蔵されている。つまり、ケース３ｆに前記制御部３ａ、データ記憶部３ｃ、表示部３ｅ等が内蔵されている。
制御部３ａは、データ記憶部３ｃ、表示部３ｅのそれぞれの制御を行うもので、主にＣＰＵ（中央演算処理装置）によって構成されている。
【００３０】
そして、地震計２の加速度センサ２ａによって検出された加速度、震度算出部２ｂによって算出された震度、Ｘ方向、Ｙ方向、Ｚ方向におけるそれぞれの最大加速度、取得された時刻、日付等の地震情報は、制御部３ａによってデータ記憶部３ｃに記憶されるとともに表示部３ｅに表示される。さらに、このデータ記憶部３ｃには、複数の地震情報が履歴として記憶されるようになっている。
また、このデータ記憶部３ｃには、建物の構成部材および構造に係る建物情報が記憶されている。建物の構成部材とは、例えば柱、梁、壁、屋根等の構造部材や、筋かい、外装材等の部材であり、これらがその種類、大きさ（柱や梁の太さ、長さ等）、強度、配置位置、壁量等とともにデータ記憶部３ｃに予め記憶されている。建物の構造とは、例えば、在来の軸組構造、パネル工法による構造、ツーバイフォー工法による構造、軽量鉄骨で形成された建物ユニットを組み合わせてなるユニット式建物による構造等が挙げられ、その建物の階数等とともにデータ記憶部３ｃに予め記憶されている。
また、データ記憶部３ｃには、建物１の被災度ランクとしてランク１〜ランク５までが建物の変位角に対応付けられて記憶され、地盤の被災度ランクとして、ランク１とランク２とが震度に対応付けられて記憶されている。
さらに、データ記憶部３ｃには、建物１の損傷度の予測として、「なし」、「小」、「中」、「大」が被災度ランクと対応付けられて記憶されている。なお、データ記憶部３ｃは、前記メモリやハードディスク装置等によって構成されている。
【００３１】
表示部３ｅは、例えば液晶表示装置等によって構成されており、加速度センサ２ａによって検出された加速度、震度算出部２ｂによって算出された震度、Ｘ方向、Ｙ方向、Ｚ方向におけるそれぞれの最大加速度、取得された時刻、日付等の地震情報や、データ記憶部３ｃに記憶されている過去の履歴の地震情報は、制御部３ａによって読み出されて表示部３ｅに表示されるようになっている。
ケース３ｆには、各種操作ボタンが設けられており、この操作ボタンをユーザーが操作することによって、制御部３ａに指示を出して、この制御部３ａが表示部３ｅに、指定された日付、時刻の地震情報や地震情報の履歴等を表示するようになっている。
【００３２】
そして、地震が発生すると、地震計２の変形量算出部２ｃによって、地震表示計３のデータ記憶部３ｃに記憶されている建物情報と地震計２の加速度センサ２ａのから得られる加速度とに基づいて建物１の変位角が計算される。
次に、この計算された変位角を、データ記憶部３ｃに記憶されている変位角と参照して、計算された変位角に対応する変位角に対応付けられている建物１の被災度ランクを呼び出して、表示部３ｅに建物の被災度ランクとして、図６に示すように、表示する。図６では、例えば、建物１の被災度ランク３の場合を示している。
同様に、地震表示計３では、震度算出部２ｂで算出された震度を、データ記憶部３ｃに記憶されている震度と参照し、算出された震度に対応する震度に対応付けられている地盤の被災度ランクをデータ記憶部３ｃから呼び出して、表示部３ｅに地盤の被災度ランクとして表示する。図６では、例えば、地盤の被災度ランク１の場合を示している。なお、震度は各震度の数値に対して強弱の二つがある。例えば震度６の場合、震度６強と震度６弱の二つがある。図６では、例えば、震度６強の場合を示している。
【００３３】
さらに、地震表示計３では、震度算出部２ｂによって算出されたＸ方向、Ｙ方向、Ｚ方向におけるそれぞれの最大加速度を表示部３ｅに表示する。この表示は、例えば、表示部３ｅに、「Ｘ」、「Ｙ」、「Ｚ」の文字と、最大加速度の数値とを表示する領域があり、この領域において、「Ｘ」、「Ｙ」、「Ｚ」の文字が例えば３秒毎に自動的に切り替わり、この文字に対応した最大加速度がガル数値で表示される。図６では、例えば、建物１のＸ方向における最大加速度が１２３４ガルの場合を示している。
加えて地震表示計３では、建物１の損傷度予測を表示部３ｅに表示する。この表示は、例えば、表示部３ｅに、損傷度予測として「なし」、「小」、「中」、「大」の文字を表示する領域があり、この領域において、建物の被災度に対応した損傷度予測が表示される。図６では、例えば、損傷度予測「中」の場合を示している。
【００３４】
前記地震表示計３は、図７に示すように、矩形箱状のケース３ｆの前面中央部に液晶画面で構成された表示部３ｅが設けられ、この表示部３ｅに図６に示すような情報が表示される。
また、地震表示計３の表示部３ｅの上方には、建物用のＬＥＤランプ３１ａと地盤用のＬＥＤランプ３１ｂが設けられている。ＬＥＤランプ３１ａは、建物１の被災度がランク１およびランク２の場合、青色で点灯し、ランク３の場合は黄色で点灯し、ランク４の場合は赤色で点灯し、さらにランク５の場合は赤色で点滅する。ＬＥＤランプ３１ｂは地盤の被災度がランク１場合青色で点灯し、ランク２の場合橙色で点灯する。
【００３５】
また、地震表示計３の表示部３ｅの下方には、押しボタン３２ａ,３２ｂ,３２ｂが設けられており、中央の押しボタン３２ａによって、画面切り替えを行える。例えば、地震発生に備えた待機画面と、過去の地震履歴を検索する際の検索画面とで画面切り替えを行える。左右両側の押しボタン３２ｂ,３２ｂは検索画面で検索日時を選択するとき等に使用する。
さらに、地震表示計３のケース３ｆの外面のうちの上面には、表示部３ｅに表示された加速度の方向に対応する方向（Ｘ、Ｙ、Ｚ）を表示する方向表示部３３が設けられている。この方向表示部３３は、ケース３ｆの上面に、「Ｘ−Ｙ軸」と、Ｘ軸とＹ軸との交点（原点）に記載された「◎印」を印刷等によって記載することにより行う。「◎印」は鉛直方向（Ｚ軸方向）を示している。
【００３６】
また、ケース３ｆの側面には取付部３４が形成されており、この取付部３４に被災度判定表３５が紐等によって取り付けられている。
この被災度判定表３５は、図９に示すように、建物１の被災度ランクに対応して、ＬＥＤランプ３１ｂの点灯色、被災の際のコメント、損傷内容が記載されるとともに、地盤の被災度ランクに対応して、ＬＥＤランプ３１ｂの点灯色、被災の際のコメントが記載されている。
したがって、ユーザーは、この被災度判定表３５を参照することによって、表示部３ｅに表示されている被災度ランクに対応した建物や地盤の損傷内容を容易に知ることができるとともに、対応策についても容易に検討できる。
なお、この被災度判定表３５は、取付部３４に紐を介して取り付けるものに代えて、例えば、図８に示すように、ケース３ｆの側面または上面の一部にスリット３４ａを形成しておき、このスリットに挿脱可能に挿入してもよい。
【００３７】
また、地震表示計３のケース３ｆの前面下部には、例えば住宅メーカの担当者の連絡先と氏名を記載する記載欄３６が設けられ、この記載欄３６の横にバーコード３７が記載されている。バーコード３７を図示しないバーコードリーダによって読み込むことによって、住宅メーカのホームページを呼び出して、このホームページに掲載されている被災度判定表３５を閲覧できる。なお、前記ホームページは、表示部３ｅに表示できるようにしてもよい。この場合、地震表示計３をインターネットに接続するとともに、当該地震表示計３にバーコードリーダを接続しておけばよい。また、ホームページは別途パソコン等よって閲覧してもよい。
さらに、ケース３ｆの側面にはスピーカー３８が設けられている。このスピーカー３８は、例えば、表示部３ｅに表示された震度、被災度ランク、損傷度予測等を音声にて告知したり、緊急地震速報を音声にて告知するようになっている。
【００３８】
本実施の形態によれば、地震が発生した際に、変形量算出部２ｃによって算出された建物１の変形量に基づいて、制御部３ａがデータ記憶部３ｃから前記変形量に対応付けられている被災度ランクを呼び出して表示部３ｅに表示するので、ユーザーはこの被災度ランクを確認することによって、建物１の被災内容を速やかに把握できるとともに、被災度判定表３５を確認することによって、被災度ランクに対応付けられた建物１の被災内容を、通信ネットワークに頼ることなく詳細かつ速やかに把握できる。
【００３９】
また、変形量算出部２ｃは、建物１に地震によって水平に力が作用した際に生じる層間変位角を算出するので、この層間変位角に応じた建物１の被災度ランクを対応付けてデータ記憶部３ｃに記憶させておくことで、地震の際の建物１の被災度ランクをより適切なものとすることができる。
さらに、表示部３ｅが、加速度センサ２ａによって検出された加速度、この加速度の方向、震度を表示することによって、ユーザーは被災度ランクに加えて、地震の際の加速度、その方向、さらに震度を確認できる。
加えて、地震時またはその後に、表示部３ｅが加速度センサ２ａによって検出された加速度をその方向ごとに表示し、ユーザーはこの表示と方向表示部３３に表示されている方向を確認することによって建物１がどの方向に揺れたか、つまり建物１にどの方向に加速度が作用したかを容易に知ることができる。
【００４０】
また、地震時に建物に作用する地震力（加速度）は、地盤から布基礎６を介して作用するが、直角に配置された一の外壁１ａと他の外壁１ｂのうちの一の外壁１ａと直角に配置され、かつ平面視において建物１の内側に位置して、当該建物１の内側の壁１ｃが設置される布基礎６の立上り部６ａに、地震計２が取り付けられているので、地震時に建物１に作用する地震力（加速度）を正確に測定できる。すなわち、地震時における建物１の揺れは建物１の壁の揺れとして捉えることができるが、地震計２が取り付けられた布基礎６の立上り部６ａは、平面視において直角に配置された一の外壁１ａと他の外壁１ｂのうちの一の外壁１ａと直角に配置され、かつ平面視において建物１の内側に位置しており、この立上り部６ａに前記壁１ｃが設置されているので、地震時に建物１に作用する地震力（加速度）を正確に測定できる。
また、建物１への地震力（加速度）は布基礎６の立上り部６ａの上端と建物１との接触部から当該建物１に入力されるが、布基礎６の立上り部６ａの側面の上端部に地震計２が取り付けられているので、地震時に建物１に作用する地震力（加速度）をより実際の値に近いものとして正確に測定できる。
さらに、平面視において建物１の中央部に位置する布基礎６の立上り部６ａに地震計２が取り付けられているので、地震時における布基礎６の各部位の平均的な揺れ（加速度）を測定でき、この結果、地震時に建物１に作用する平均的な地震力（加速度）を測定できる。
【符号の説明】
【００４１】
１  建物
２  地震計
２ａ  加速度センサ
２ｂ  震度算出部
２ｃ  変形量算出部
３  地震表示計
３ａ  制御部  
３ｃ  データ記憶部
３ｅ  表示部
３ｆ  ケース
３３  方向表示部
３５  被災度判定表
【図１】
0005756051.tif 000002
【図２】
0005756051.tif 000003
【図３】
0005756051.tif 000004
【図４】
0005756051.tif 000005
【図５】
0005756051.tif 000006
【図６】
0005756051.tif 000007
【図７】
0005756051.tif 000008
【図８】
0005756051.tif 000009
【図９】
0005756051.tif 000010